(57)【要約】  本発明は、測定検出の構成方法、端末デバイス及びネットワークデバイスを提供する。該方法は、端末デバイスがネットワークデバイスにより送信された構成情報を受信することと、該端末デバイスが少なくとも１つ測定間隔に基づいて、信号品質測定を行うこととを含み、該構成情報は、該端末デバイスが有する複数の無線周波数チャネルに対応する少なくとも１つ測定間隔を含む。本発明の測定の構成方法は、測定およびデータ送受信の手順を柔軟に端末デバイスで処理可能とし、測定によるデータ送受信への影響を低減し、ユーザの体験を向上させることができる。
2021503739.tif 000002
【特許請求の範囲】
【請求項１】
端末デバイスがネットワークデバイスにより送信された構成情報を受信することと、
前記端末デバイスが少なくとも１つの測定間隔に基づいて、信号品質測定を行うこととを含み、
前記構成情報は、前記端末デバイスが有する複数の無線周波数チャネルに対応する少なくとも１つの測定間隔を含む
ことを特徴とする測定間隔の構成方法。
【請求項２】
前記端末デバイスがネットワークデバイスにより送信された構成情報を受信する前に、  前記方法は、さらに、
前記ネットワークデバイスが前記無線周波数能力情報に基づいて前記構成情報を生成するように、前記端末デバイスが前記ネットワークデバイスに前記端末デバイスに無線周波数能力情報を送信することを含み、
前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含む
ことを特徴とする請求項１に記載の測定間隔の構成方法。
【請求項３】
前記無線周波数チャネル能力情報は、
前記複数の無線周波数チャネルの数、マルチ入力マルチ出力ＭＩＭＯ能力、データ受信チャネルの数、データ送信チャネルの数、及びキャリアアグリゲーションのサポート能力のうちの少なくとも１つを含む
ことを特徴とする請求項２に記載の測定間隔の構成方法。
【請求項４】
前記複数の無線周波数チャネルの各無線周波数チャネルが、１つの測定間隔に対応する
ことを特徴とする請求項１〜３のいずれか１項に記載の測定間隔の構成方法。
【請求項５】
前記複数の無線周波数チャネルのうちの第１の無線周波数チャネルに対応する第１の測定間隔は、前記第１の無線周波数チャネルのみが測定を実行するために使用される
ことを特徴とする請求項４に記載の測定間隔の構成方法。
【請求項６】
前記複数の無線周波数チャネルが同じ測定間隔に対応する
ことを特徴とする請求項１〜３のいずれか１項に記載の測定間隔の構成方法。
【請求項７】
ネットワークデバイスが構成情報を生成することと、
前記ネットワークデバイスが端末デバイスに前記構成情報を送信することとを含み、
前記構成情報は、端末デバイスが有する複数の無線周波数チャネルに対応する少なくとも１つ測定間隔を含む
ことを特徴とする測定間隔の構成方法。
【請求項８】
前記ネットワークデバイスが構成情報を生成する前に、前記方法は、さらに、
前記ネットワークデバイスが前記端末デバイスにより送信された前記端末デバイスの無線周波数能力情報を受信することを含み、
前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含み、
前記ネットワークデバイスが構成情報を生成することは、
前記ネットワークデバイスが前記無線周波数能力情報に基づいて前記構成情報を生成することを含む
ことを特徴とする請求項７に記載の測定間隔の構成方法。
【請求項９】
前記無線周波数チャネル能力情報は、
前記複数の無線周波数チャネルの数、マルチ入力マルチ出力ＭＩＭＯ能力、データ受信チャネルの数、データ送信チャネルの数、及びキャリアアグリゲーションのサポート能力のうちの少なくとも１つを含む
ことを特徴とする請求項８に記載の測定間隔の構成方法。
【請求項１０】
前記複数の無線周波数チャネルの各無線周波数チャネルが、１つの測定間隔に対応する
ことを特徴とする請求項７〜９のいずれか１項に記載の測定間隔の構成方法。
【請求項１１】
前記複数の無線周波数チャネルのうちの第１の無線周波数チャネルに対応する第１の測定間隔は、前記第１の無線周波数チャネルのみが測定を実行するために使用される
ことを特徴とする請求項１０に記載の測定間隔の構成方法。
【請求項１２】
前記複数の無線周波数チャネルが同じ測定間隔に対応する
ことを特徴とする請求項７〜９のいずれか１項に記載の測定間隔の構成方法。
【請求項１３】
送受信ユニットと、測定ユニットと、を備える端末デバイスであって、
前記送受信ユニットは、ネットワークデバイスにより送信された構成情報を受信するように構成され、前記構成情報は、前記端末デバイスが有する複数の無線周波数チャネルに対応する少なくとも１つの測定間隔を含み、
前記測定ユニットは、前記少なくとも１つ測定間隔に基づいて、信号品質測定を行うように構成される
ことを特徴とする端末デバイス。
【請求項１４】
前記送受信ユニットは、さらに、
前記ネットワークデバイスが前記無線周波数能力情報に基づいて前記構成情報を生成するように、ネットワークデバイスにより送信された構成情報を受信する前に、前記ネットワークデバイスに前記端末デバイスの無線周波数能力情報を送信するように構成され、
前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含む
ことを特徴とする請求項１３に記載の端末デバイス。
【請求項１５】
前記無線周波数チャネル能力情報は、
前記複数の無線周波数チャネルの数、マルチ入力マルチ出力ＭＩＭＯ能力、データ受信チャネルの数、データ送信チャネルの数、及びキャリアアグリゲーションのサポート能力のうちの少なくとも１つを含む
ことを特徴とする請求項１４に記載の端末デバイス。
【請求項１６】
前記複数の無線周波数チャネルの各無線周波数チャネルが、１つの測定間隔に対応する
ことを特徴とする請求項１３〜１５のいずれか１項に記載の端末デバイス。
【請求項１７】
前記複数の無線周波数チャネルのうちの第１の無線周波数チャネルに対応する第１の測定間隔は、前記第１の無線周波数チャネルのみが測定を実行するために使用される
ことを特徴とする請求項１６に記載の端末デバイス。
【請求項１８】
前記複数の無線周波数チャネルが同じ測定間隔に対応する
ことを特徴とする請求項１３〜１５のいずれか１項に記載の端末デバイス。
【請求項１９】
処理ユニットと、送受信ユニットと、を備えるネットワークデバイスであって、
前記処理ユニットは、構成情報を生成するように構成され、前記構成情報は、端末デバイスが有する複数の無線周波数チャネルに対応する少なくとも１つ測定間隔を含み、
前記送受信ユニットは、前記端末デバイスに前記構成情報を送信するように構成される
ことを特徴とするネットワークデバイス。
【請求項２０】
前記送受信ユニットは、さらに、
構成情報を生成する前に、前記端末デバイスにより送信された前記端末デバイスの無線周波数能力情報を受信するように構成され、 
前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポート  するかどうかを示す指示情報のうちの少なくとも１つを含み、
前記処理ユニットは、前記無線周波数能力情報に基づいて前記構成情報を生成するように構成される
ことを特徴とする請求項１９に記載のネットワークデバイス。
【請求項２１】
前記無線周波数チャネル能力情報は、
前記複数の無線周波数チャネルの数、マルチ入力マルチ出力ＭＩＭＯ能力、データ受信チャネルの数、データ送信チャネルの数、及びキャリアアグリゲーションのサポート能力のうちの少なくとも１つを含む
ことを特徴とする請求項２０に記載のネットワークデバイス。
【請求項２２】
前記複数の無線周波数チャネルの各無線周波数チャネルが、１つの測定間隔に対応する
ことを特徴とする請求項１９〜２１のいずれか１項に記載のネットワークデバイス。
【請求項２３】
前記複数の無線周波数チャネルのうちの第１の無線周波数チャネルに対応する第１の測定間隔は、前記第１の無線周波数チャネルのみが測定を実行するために使用される
ことを特徴とする請求項２２に記載のネットワークデバイス。
【請求項２４】
前記複数の無線周波数チャネルが同じ測定間隔に対応する
ことを特徴とする請求項１９〜２１のいずれか１項に記載のネットワークデバイス。
【発明の詳細な説明】
【技術分野】
【０００１】
本発明の実施例は、通信分野に関し、具体的に、測定間隔の構成方法、端末デバイス及びネットワークデバイスに関する。
【背景技術】
【０００２】
人々が速度、遅延、高速移動性、エネルギー効率に対する追求、および将来の生活におけるサービスが多様性、複雑になる。
【０００３】
このために、第３世代パートナーシッププロジェクト( Ｔｈｅ３ ｒｄ Ｇｅｎｅｒａｔｉｏｎ Ｐａｒｔｎｅｒｓｈｉｐ Ｐｒｏｊｅｃｔ、３ ＧＰＰ )の国際標準団体は、第５の代移動通信技術（５−Ｇｅｎｅｒａｔｉｏｎ、５Ｇ）の開発を開始した。５Ｇの主な適用シ−ンは、拡張モバイルウルトラワイドバンド( Ｅｎｈａｎｃｅ Ｍｏｂｉｌｅ Ｂｒｏａｄｂａｎｄ、ｅＭＢＢ )、低遅延高信頼通信( Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ、ＵＲＬＬＣ )、大規模機器タイプ通信( ｍａｓｓｉｖｅ ｍａｃｈｉｎｅ ｔｙｐｅ ｏｆ Ｃｏｍｍｕｎｉｃａｔｉｏｎ、ｍＭＴＣ )である。
【０００４】
新しいラジオ( Ｎｅｗ Ｒａｄｉｏ、ＮＲ )の早期展開において、完全なＮＲカバレージは、取得することが困難であるため、典型的なネットワークカバレージは、広域のロングタームエボリューション( Ｌｏｎｇ Ｔｅｒｍ Ｅｖｏｌｕｔｉｏｎ、ＬＴＥ )カバレージおよびＮＲの孤立カバレージモードである。また、多くのＬＴＥの展開数が６ギガヘルツ( ＧＨｚ )以下であるため、５Ｇに利用可能な６ＧＨｚ以下のスペクトルは少ない。したがって、ＮＲは６ＧＨｚ以上のスペクトル適用を検討しなければならず、高周波数帯域のカバレッジは限られており、信号のフェージングは速い。
【０００５】
従来技術では、移動体通信事業者の早期のＬＴＥ投資を保護するために、ＬＴＥとＮＲとの間の密接な相互通信( ｔｉｇｈｔ ｉｎｔｅｒｗｏｒｋｉｎｇ )の動作モードが提案されている。特に、ＬＴＥ−ＮＲデュアルコネクティビティ( Ｄｕａｌ Ｃｏｎｎｅｃｔｉｏｎ、ＤＣ )伝送データは、帯域幅（ｂａｎｄ）の組み合わせによってサポートされ、システムスループットを向上させる。
【０００６】
しかしながら、上記のＬＴＥとＮＲとの間の密接な相互通信( ｔｉｇｈｔ ｉｎｔｅｒｗｏｒｋｉｎｇ )の動作モードについて、現在では、信号品質の明確な測定方法はない。
【発明の概要】
【０００７】
本願は、測定およびデータ送受信の手順を柔軟に端末デバイスで処理可能とし、測定によるデータ送受信への影響を低減し、ユーザの体験を向上させることが可能な測定検出の構成方法、端末デバイスおよびネットワークデバイスを提供する。
【０００８】
第１の態様は、測定間隔の構成方法を提供し、
端末デバイスがネットワークデバイスにより送信された構成情報を受信することと、前記端末デバイスが前記少なくとも１つの測定間隔に基づいて、信号品質測定を行うこととを含み、前記構成情報は、前記端末デバイスが有する複数の無線周波数チャネルに対応する少なくとも１つの測定間隔を含む。
【０００９】
本発明の実施例において、ネットワークデバイスによる端末デバイス測定間隔の構成方法を提供し、各無線周波数チャネルの測定間隔（ｍｅａｓｕｒｅｍｅｎｔ ｇａｐ）が定義され、端末デバイスに構成されることで、測定およびデータ送受信の手順を柔軟に端末デバイスで処理可能とし、測定によるデータ送受信への影響を低減し、ユーザの体験を向上させることができる。
【００１０】
いくつかの実現可能な方式において、前記端末デバイスがネットワークデバイスにより送信された構成情報を受信する前に、前記方法は、さらに、
前記ネットワークデバイスが前記無線周波数能力情報に基づいて前記構成情報を生成するように、前記端末デバイスが前記ネットワークデバイスに前記端末デバイスに無線周波数能力情報を送信することを含み、
ここで、前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含む。
【００１１】
いくつかの実現可能な方式において、前記無線周波数チャネル能力情報は、
前記複数の無線周波数チャネルの数、マルチ入力マルチ出力（Ｍｕｌｔｉｐｌｅ−Ｉｎｐｕｔ Ｍｕｌｔｉｐｌｅ−Ｏｕｔｐｕｔ、ＭＩＭＯ）能力、データ受信チャネルの数、データ送信チャネルの数及びキャリアアグリゲーションのサポート能力のうちの少なくとも１つを含む。
【００１２】
いくつかの実現可能な方式において、前記複数の無線周波数チャネルの各無線周波数チャネルが、１つの測定間隔に対応する。
【００１３】
いくつかの実現可能な方式において、前記複数の無線周波数チャネルのうちの第１の無線周波数チャネルに対応する第１の測定間隔は、前記第１の無線周波数チャネルのみが測定を実行するために使用される。
【００１４】
いくつかの実現可能な方式において、前記複数の無線周波数チャネルが同じ測定間隔に対応する。
【００１５】
第２の態様は、測定間隔の構成方法を提供し、
ネットワークデバイスが構成情報を生成することと、
前記ネットワークデバイスが前記端末デバイスに前記構成情報を送信することとを含み、
前記構成情報は、端末デバイスが有する複数の無線周波数チャネルに対応する少なくとも１つ測定間隔を含む。
【００１６】
いくつかの実現可能な方式において、前記ネットワークデバイスが構成情報を生成する前に、前記方法は、さらに、
前記ネットワークデバイスが前記端末デバイスにより送信された前記端末デバイスの無線周波数能力情報を受信することを含み、
ここで、前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含み、ここで、前記ネットワークデバイスが構成情報を生成することは、
前記ネットワークデバイスが前記無線周波数能力情報に基づいて前記構成情報を生成することを含む。
【００１７】
いくつかの実現可能な方式において、前記無線周波数チャネル能力情報は、
前記複数の無線周波数チャネルの数、マルチ入力マルチ出力ＭＩＭＯ能力、データ受信チャネルの数、データ送信チャネルの数、及びキャリアアグリゲーションのサポート能力のうちの少なくとも１つを含む。
【００１８】
いくつかの実現可能な方式において、前記複数の無線周波数チャネルの各無線周波数チャネルが、１つの測定間隔に対応する。
【００１９】
いくつかの実現可能な方式において、前記複数の無線周波数チャネルのうちの第１の無線周波数チャネルに対応する第１の測定間隔は、前記第１の無線周波数チャネルのみが測定を実行するために使用される。
【００２０】
いくつかの実現可能な方式において、前記複数の無線周波数チャネルが同じ測定間隔に対応する。
【００２１】
第３の態様は、端末デバイスを提供し、送受信ユニット及び測定ユニットを含み、
送受信ユニットは、ネットワークデバイスにより送信された構成情報を受信するように構成され、前記構成情報は、前記端末デバイスが有する複数の無線周波数チャネルに対応する少なくとも１つの測定間隔を含み、
測定ユニットは、前記少なくとも１つ測定間隔に基づいて、信号品質測定を行うように構成される。
【００２２】
第４の態様は、端末デバイスを提供し、送受信機及びプロセッサを含み、
送受信機は、ネットワークデバイスにより送信された構成情報を受信するように構成され、前記構成情報は、前記端末デバイスが有する複数の無線周波数チャネルに対応する少なくとも１つの測定間隔を含み、
プロセッサは、前記少なくとも１つ測定間隔に基づいて、信号品質測定を行うように構成される。
【００２３】
第５の態様は、ネットワークデバイスを提供し、処理ユニット及び送受信ユニットを含み、
処理ユニットは、構成情報を生成するように構成され、前記構成情報は、端末デバイスが有する複数の無線周波数チャネルに対応する少なくとも１つ測定間隔を含み、
送受信ユニットは、前記端末デバイスに前記構成情報を送信するように構成される。
【００２４】
第６の態様は、ネットワークデバイスを提供し、プロセッサ及び送受信機を含み、
プロセッサは、構成情報を生成するように構成され、前記構成情報は、端末デバイスが有する複数の無線周波数チャネルに対応する少なくとも１つ測定間隔を含み、
送受信機は、前記端末デバイスに前記構成情報を送信するように構成される。
【００２５】
第７の態様は、上述の第１の態様または第２の態様または第３の態様の方法の実施例を実行するための命令を含むコンピュータプログラムを記憶するためのコンピュータ可読媒体を提供する。
【００２６】
第８の態様は、入力インターフェースと、出力インターフェースと、少なくとも１つのプロセッサと、メモリと、を備えるコンピュータチップを提供し、プロセッサは、メモリ内のコードを実行し、コードが実行されると、プロセッサは、第１の態様および様々な実装形態における測定間隔を構成方法において端末デバイスによって実行される様々なプロセスを実現することができる。
【００２７】
第９の態様は、入力インターフェースと、出力インターフェースと、少なくとも１つのプロセッサと、メモリと、を備えるコンピュータチップを提供し、プロセッサは、メモリ内のコードを実行し、コードが実行されると、上記の第２の態様及び様々な実装例における測定間隔を構成する方法においてネットワークデバイスによって実行される様々なプロセスを実現することができる。
【００２８】
第１０態様は、上記のネットワークデバイス及び上記の端末デバイスを備える通信システムを提供する。
【図面の簡単な説明】
【００２９】
【図１】本発明の応用シーンの例である。
【図２】本発明の実施例における測定間隔の構成方法のブロック図である。
【図３】本発明の実施例における端末デバイスのブロック図である。
【図４】本発明の実施例における他の端末デバイスのブロック図である。
【図５】本発明の実施例におけるネットワークデバイスのブロック図である。
【図６】本発明の実施例における他のネットワークデバイスのブロック図である。
【発明を実施するための形態】
【００３０】
図１は本発明の実施例の応用シーンの模式図である。
【００３１】
図１に示すように、端末デバイス１１０は、例えば、ロングタームエボリューション( Ｌｏｎｇ Ｔｅｒｍ Ｅｖｏｌｕｔｉｏｎ、ＬＴＥ )におけるネットワークデバイスである第１の通信システムにおける第１のネットワークデバイス１３０と、新しいラジオ( Ｎｅｗ Ｒａｄｉｏ、ＮＲ )におけるネットワークデバイスである第２の通信システムにおける第２のネットワークデバイス１２０とに接続される。
【００３２】
ここで、該第１のネットワークデバイス１３０及び第２のネットワークデバイス１２０の下に複数のセルが含まれ得る。
【００３３】
しかし、該端末デバイス１１０は、セル切り替えを行う前に、目標セルの電力(信号品質)を通常測定して第１のネットワークデバイス１３０に報告し、該第１のネットワークデバイス１３０は、該端末デバイス１１０が目標セルへの切り替えを許可するか否かを決定する。
【００３４】
該端末デバイス１１０は、目標セルと現在のセルとの周波数ポイントが同じであれば(同周波数測定)、目標セルの信号品質をより容易に測定でき、しかし、周波数ポイントが異なる場合(異周波数測定)、端末デバイス１１０は、目標セルの信号品質を測定することが困難である。
【００３５】
論理的の意味から、最も単純な異周波数測定の解決策は、ＵＥ上で２つの無線周波数( ＲＦ )送受信機を実装することである。しかしながら、デュアルＲＦ送受信機方式は、コストの問題である現実的な困難を有し、それは、追加の送受信機を実装するために追加のコストを必要とし、別の問題は、特に、デュアルリンクシーンにおいて、両方が近接している場合に、現在の周波数と目標周波数との間の起こり得る干渉である。
【００３６】
上記課題を解決するために、本発明の実施例では、デュアルリンクシーンにおいて、各無線周波数チャネルの測定間隔( ｍｅａｓｕｒｅｍｅｎｔ ｇａｐ )を定義し、端末デバイスに構成することにより、端末デバイスが測定及びデータ送受信手順を柔軟に処理することができ、測定によるデータ送受信への影響を低減し、ユーザ体験を向上させることができる端末デバイスのためのネットワークデバイスの測定間隔を構成する方法を提案する。
【００３７】
なお、図１は、本発明の実施例の一例であり、本発明の実施例は、図１に示すものに限定されない。
【００３８】
例えば、本発明の実施例が適用される通信システムは、少なくとも、該第１の通信システムの下の複数のネットワークデバイス及び/又は該第２の通信システムの下の複数のネットワークデバイスを含んでもよい。
【００３９】
また、例えば、本発明の実施例における第１の通信システムと第２の通信システムとは異なるが、第１の通信システムと当該第２の通信システムの具体的な種別は限定されない。例えば、第１の通信システム及び第２の通信システムは、例えば、Ｇｌｏｂａｌ Ｓｙｓｔｅｍ ｏｆ Ｍｏｂｉｌｅ Ｃｏｍｍｕｎｉｃａｔｉｏｎ （ ＧＳＭ ）システム、Ｃｏｄｅ Ｄｉｖｉｓｉｏｎ Ｍｕｌｔｉｐｌｅ Ａｃｃｅｓｓ （ ＣＤＭＡ ）システム、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )システム、Ｇｅｎｅｒａｌ  Ｐａｃｋｅｔ  Ｒａｄｉｏ  Ｓｅｒｖｉｃｅ  （ＧＰＲＳ )、Ｌｏｎｇ Ｔｅｒｍ Ｅｖｏｌｕｔｉｏｎ （ ＬＴＥ )システム、Ｔｉｍｅ  Ｄｉｖｉｓｉｏｎ  Ｄｕｐｌｅｘ （ ＴＤＤ )、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )等の各種通信システムであってもよい。
【００４０】
また、本発明は、ネットワークデバイス（該第１のネットワークデバイス〜第４のネットワークデバイス）と端末デバイスと結合して各実施例を説明する。
【００４１】
ここで、ネットワークデバイスは、ネットワーク側の任意のエンティティが信号を送信または受信するために使用することができる。例えば、マシンクラス通信( ＭＴＣ )のユーザ機器、ＧＳＭ又はＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ )、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００４２】
端末デバイス１１０は、任意の端末デバイスであってよい。具体的には、端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイルデバイス、ユーザ端末、ワイヤレス通信デバイス、ユーザエージェント、またはユーザ装置とも呼ばれ得る、無線アクセスネットワーク( Ｒａｄｉｏ Ａｃｃｅｓｓ Ｎｅｔｗｏｒｋ、ＲＡＮ )を介して１つまたは複数のコアネットワーク( Ｃｏｒｅ Ｎｅｔｗｏｒｋ )と通信し得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００４３】
図２は本発明の実施例における測定検出の構成方法のフローチャートである。
【００４４】
図２に示すように、以下のステップを含み、
２１０において、ネットワークデバイスが構成情報を生成する。
【００４５】
２２０において、該ネットワークデバイスが端末デバイスに該構成情報を送信する。
【００４６】
２３０において、該端末デバイスが該構成に基づいて、信号品質測定を行う。
【００４７】
具体的に、端末デバイスがネットワークデバイスにより送信された構成情報を受信し、該構成情報は、該端末デバイスが有する複数の無線周波数チャネルに対応する少なくとも１つ測定間隔を含み、さらに、上記の少なくとも１つ測定間隔に基づいて、信号品質測定を行う。
【００４８】
なお、端末デバイスが構成した測定間隔は、異周波数測定又は同周波数測定のために使用することができ、換言すれば、該端末デバイスが構成した測定間隔内(現在のセル)は、データの送信又はデータの受信のために使用することがないので、端末デバイスは、目標セルに切り替えて信号品質測定を行い、その後、現在のセルに切り戻す(通常の送受信動作を継続する)ことができる。
【００４９】
端末デバイスとネットワークデバイスとの間で、シームレスに動作するためには、測定間隔(例えば、測定開始位置、測定長、測定回数など)の同期をとる必要がある。
【００５０】
端末デバイスはデュアルリンク動作モードであるので、本発明の実施例では、無線周波数チャネルに基づく測定間隔が定義され、すなわち無線周波数チャネルのための１つの測定間隔( ｍｅａｓｕｒｅｍｅｎｔ ｇａｐ )が構成される。なお、このｍｅａｓｕｒｅｍｅｎｔ ｇａｐは、この無線周波数チャネル内の受信( Ｒｘ )データチャネル/送信( Ｔｘ )データチャネルのデータ送受信にのみ影響を与え、他の無線周波数チャネルのデータ送受信に影響を与えることはない。
【００５１】
なお、本発明の実施例に係る複数の無線周波数チャネルは、周波数範囲に基づいて分割されてもよいし、通信システムの種別に基づいて分割されてもよく、本発明の実施例は特に限定されない。
【００５２】
さらに、端末デバイスは、特にデュアルリンクシナリオにおいて、複数の無線周波数チャネルをサポートすることができ、各無線周波数チャネルが行うことができる測定のバンド（ｂａｎｄ）またはサポートされるバンドは、無線周波数チャネルの能力(電力増幅器ＰＡおよびアンテナサポート)に応じて異なる。
【００５３】
例えば、該端末デバイス(例えば、携帯電話)が、無線周波数設計においてｂａｎｄで設計され、ネットワークに接続した後、該端末デバイスは、自身がサポートできるｂａｎｄ情報、キャリアアグリゲーション( ＣＡ )がサポートするｂａｎｄの組み合わせの情報、デュアルリンク( ＤＣ )シーンでサポートするｂａｎｄの組み合わせの情報、および測定関連能力を報告する必要がある。
【００５４】
そして、ある実施例において、該端末デバイスは、ネットワークデバイスにより送信された構成情報を受信する前に、該ネットワークデバイスに該端末デバイスの無線周波数能力情報を送信することで、該ネットワークデバイスは、該無線周波数能力情報に基づいて該構成情報を生成して、該ネットワークデバイスは、該無線周波数能力情報に基づいて該構成情報を生成する。
【００５５】
ここで、該無線周波数能力情報は、
該端末がサポートする無線周波数チャネルの数、各無線周波数チャネルがサポートする周波数スペクトル情報、無線周波数チャネル能力情報、及び該端末デバイスが該複数の無線周波数チャネル対応する測定間隔に応じて信号品質測定を行うことをサポートするかどうかを示す指示情報のうちの少なくとも１つを含む。
【００５６】
つまり、該ネットワークデバイスが構成情報を生成する前に、該端末デバイスが自分の無線周波数能力情報を報告する必要があり、これにより、該ネットワークデバイスは、該端末デバイスの無線周波数能力情報に基づいて該構成情報を生成する。
【００５７】
さらに、該無線周波数チャネル能力情報は、
該複数の無線周波数チャネルの数、マルチ入力マルチ出力ＭＩＭＯ能力、データ受信チャネルの数、データ送信チャネルの数、及びキャリアアグリゲーションのサポート能力のうちの少なくとも１つを含む。
【００５８】
なお、本発明の実施例における複数の無線周波数チャネルが少なくとも１つ測定間隔に対応する。
【００５９】
例えば、該複数の無線周波数チャネルの各無線周波数チャネルが、１つの測定間隔に対応する。
【００６０】
具体的に、、該複数の無線周波数チャネルの第１の無線周波数チャネルに対応する第１の測定間隔は、該第１の無線周波数チャネルのみの測定の実行に使用される。
【００６１】
例えば、端末がＲＦ−ＣＨ１とＲＦ−ＣＨ２の２つの無線周波数チャネルを備えている。ネットワークデバイスは、これら２つの無線周波数チャネルのそれぞれに対して別個のｇａｐ１及びｇａｐ２を構成することができる。ｇａｐ１は無線周波数チャネルＲＦ−ＣＨ１に使用され、ｇａｐ２は無線周波数チャネルＲＦ−ＣＨ２に使用される。端末デバイスが行う必要がある測定が無線周波数チャネルＲＦ−ＣＨ１のみの場合は、Ｇａｐ１を用いる。端末デバイスがｇａｐ１で測定している間は、無線周波数チャネルＲＦ−ＣＨ２の下り受信等に影響を与えない。
【００６２】
また、例えば、該複数の無線周波数チャネルが同じ測定間隔に対応する。
【００６３】
つまり、ネットワークデバイスが端末デバイスにｇａｐ３を構成し、無線周波数チャネルＲＦ−ＣＨ１／無線周波数チャネルＲＦ−ＣＨ２にわたる測定に使用される。
【００６４】
図３は本発明の実施例における端末デバイスのブロック図である。
【００６５】
図３に示すように、該端末デバイス３００は、送受信ユニット３１０及び測定ユニット３２０を含み、
送受信ユニット３１０は、ネットワークデバイスにより送信された構成情報を受信するように構成され、該構成情報は、該端末デバイスが有する複数の無線周波数チャネルに対応する少なくとも１つ測定間隔を含み、
測定ユニット３２０は、上記の少なくとも１つ測定間隔に基づいて、信号品質測定を行うように構成される。
【００６６】
任意選択で、該送受信ユニット３１０は、さらに、
ネットワークデバイスにより送信された構成情報を受信する前に、該ネットワークデバイスに該端末デバイスの無線周波数能力情報を送信ように構成され、これにより、該ネットワークデバイスが該無線周波数能力情報に基づいて該構成情報を生成する。
【００６７】
ここで、該無線周波数能力情報は、
該端末がサポートする無線周波数チャネルの数、各無線周波数チャネルがサポートする周波数スペクトル情報、無線周波数チャネル能力情報及び該端末デバイスが該複数の無線周波数チャネル対応する測定間隔に応じて信号品質測定を行うことをサポートするかどうかを示す指示情報のうちの少なくとも１つを含む。
【００６８】
任意選択で、該無線周波数チャネル能力情報は、
該複数の無線周波数チャネルの数、マルチ入力マルチ出力ＭＩＭＯ能力、データ受信チャネルの数、データ送信チャネルの数、及びキャリアアグリゲーションのサポート能力のうちの少なくとも１つを含む。
【００６９】
任意選択で、該複数の無線周波数チャネルの各無線周波数チャネルが、１つの測定間隔に対応する。
【００７０】
任意選択で、該複数の無線周波数チャネルの第１の無線周波数チャネルに対応する第１の測定間隔は、該第１の無線周波数チャネルの測定実行に使用される。
【００７１】
任意選択で、該複数の無線周波数チャネルが同じ測定間隔に対応する。
【００７２】
なお、送受信ユニット３１０は、送受信機により実現することができ、測定ユニット３２０は、プロセッサにより実現することができる。図４に示すように、端末デバイス４００は、プロセッサ４１０、送受信機４２０、及びメモリ４３０を含む。ここで、メモリ４３０は、指示情報を記憶するために使用されてもよく、プロセッサ４１０が実行するコード、命令などを記憶するために使用されてもよい。端末デバイス４００内の各構成要素は、データバスの他に、電源バス、制御バス、ステータス信号バス等のバスシステムにより接続されている。
【００７３】
図４に示す端末デバイス４００は、上述の図２の方法の実施例における端末デバイスにより実現される各処理を実現することができるが、重複を避けるために、ここではその説明を省略する。
【００７４】
図５は本発明の実施例におけるネットワークデバイスのブロック図である。
【００７５】
処理ユニット５１０は、構成情報を生成するように構成され、該構成情報は、端末デバイスが有する複数の無線周波数チャネルに対応する少なくとも１つ測定間隔を含み、
送受信ユニット５２０は、該端末デバイスに該構成情報を送信するように構成される。
【００７６】
任意選択で、該送受信ユニット５１０は、さらに、
構成情報を生成する前に、該端末デバイスにより送信された該端末デバイスの無線周波数能力情報を受信するように構成され、前記処理ユニット５１０は、該無線周波数能力情報に基づいて該構成情報を生成するように構成される。
【００７７】
ここで、該無線周波数能力情報は、
該端末がサポートする無線周波数チャネルの数、各無線周波数チャネルがサポートする周波数スペクトル情報、無線周波数チャネル能力情報、及び該端末デバイスが該複数の無線周波数チャネルに対応する測定間隔に応じて信号品質測定を行うことをサポートするかどうかを示す指示情報のうちの少なくとも１つを含む。
【００７８】
任意選択で、該無線周波数チャネル能力情報は、
該複数の無線周波数チャネルの数、マルチ入力マルチ出力ＭＩＭＯ能力、データ受信チャネルの数、データ送信チャネルの数、及びキャリアアグリゲーションのサポート能力のうちの少なくとも１つを含む。
【００７９】
任意選択で、該複数の無線周波数チャネルの各無線周波数チャネルが１つの測定間隔に対応する。
【００８０】
任意選択で、該複数の無線周波数チャネルの第１の無線周波数チャネルに対応する第１の測定間隔は、該第１の無線周波数チャネルのみの測定実行に使用される。
【００８１】
任意選択で、該複数の無線周波数チャネルが同じ測定間隔に対応する。
【００８２】
なお、処理ユニット５１０はプロセッサにより実現され、送受信ユニット５２０は送受信機により実現されてもよい。図６に示すように、ネットワークデバイス６００は、プロセッサ６１０、送受信機６２０、及びメモリ６３０を含み得る。ここで、メモリ６３０は、指示情報を記憶するために使用されてもよく、プロセッサ６１０が実行するコード、命令などを記憶するために使用されてもよい。ネットワークデバイス６００の各構成要素は、データバスの他に、電源バス、制御バス、ステータス信号バスなどのバスシステムによって接続されている。
【００８３】
図６に示すネットワークデバイス６００は、前述の図２の方法の実施例におけるネットワークデバイスにより実施される様々なプロセスを実施することができ、重複を避けるためにここでは説明を省略する。
【００８４】
なお、本発明の実施例における方法の実施例は、プロセッサに適用されてもよく、又はプロセッサによって実装されてもよい。
【００８５】
実現過程において、本発明の実施例における方法の実施例のステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【００８６】
ここで、プロセッサは、信号の処理能力を有し、本発明の実施例に開示された方法、ステップ、および論理ブロック図を実施または実行することができる集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【００８７】
また、本発明の実施例において、メモリは、揮発性メモリまたは不揮発性メモリのいずれであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことを理解されたい。すなわち、本明細書に記載のシステム及び方法のメモリは、これら及び任意の他の適切なタイプのメモリを含むことを意図しているが、これらに限定されない。
【００８８】
最後に、本発明の実施例及び添付の特許請求の範囲で使用される用語は、特定の実施例を説明する目的のためだけであり、本発明の実施例を限定することを意図していないことに留意されたい。
【００８９】
例えば、本発明の実施例及び添付の特許請求の範囲で使用される単数形の「１つ」、「前記」、及び「該」は、文脈が他の意味を明確に示しない限り、複数形も含むことを意図している。
【００９０】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【００９１】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【００９２】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【００９３】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【００９４】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【００９５】
また、本発明の実施の形態における各機能部は、１つの処理部に集積されていてもよいし、各部は、物理的に単独で存在していてもよいし、２つ以上の部が１つの処理部に集積されていてもよい。
【００９６】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【００９７】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【図１】
2021503739.tif 000003
【図２】
2021503739.tif 000004
【図３】
2021503739.tif 000005
【図４】
2021503739.tif 000006
【図５】
2021503739.tif 000007
【図６】
2021503739.tif 000008
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスにより送信された構成情報を受信することと、
前記端末デバイスが少なくとも１つの測定間隔に基づいて、信号品質測定を行うこととを含み、
前記構成情報は、前記端末デバイスが有する複数の無線周波数チャネルに対応する少なくとも１つの測定間隔を含む
ことを特徴とする測定間隔の構成方法。
【請求項２】
前記端末デバイスが構成情報を受信する前に、前記方法は、さらに、
前記構成情報を生成するように、前記端末デバイスが前記ネットワークデバイスに前記端末デバイスに無線周波数能力情報を送信することを含み、
前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含む
ことを特徴とする請求項１に記載の測定間隔の構成方法。
【請求項３】
前記複数の無線周波数チャネルの各無線周波数チャネルが、１つの測定間隔に対応する
ことを特徴とする請求項１又は２に記載の測定間隔の構成方法。
【請求項４】
前記複数の無線周波数チャネルのうちの第１の無線周波数チャネルに対応する第１の測定間隔は、前記第１の無線周波数チャネルのみが測定を実行するために使用される
ことを特徴とする請求項３に記載の測定間隔の構成方法。
【請求項５】
前記複数の無線周波数チャネルが同じ測定間隔に対応する
ことを特徴とする請求項１又は２に記載の測定間隔の構成方法。
【請求項６】
ネットワークデバイスが構成情報を生成することと、
前記ネットワークデバイスが端末デバイスに前記構成情報を送信することとを含み、
前記構成情報は、端末デバイスが有する複数の無線周波数チャネルに対応する少なくとも１つ測定間隔を含む
ことを特徴とする測定間隔の構成方法。
【請求項７】
構成情報を生成する前に、前記方法は、さらに、
前記ネットワークデバイスが前記端末デバイスにより送信された前記端末デバイスの無線周波数能力情報を受信することを含み、
前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含み、
前記ネットワークデバイスが構成情報を生成することは、
前記ネットワークデバイスが前記無線周波数能力情報に基づいて前記構成情報を生成することを含む
ことを特徴とする請求項６に記載の測定間隔の構成方法。
【請求項８】
前記複数の無線周波数チャネルの各無線周波数チャネルが、１つの測定間隔に対応する
ことを特徴とする請求項６又は７に記載の測定間隔の構成方法。
【請求項９】
前記複数の無線周波数チャネルのうちの第１の無線周波数チャネルに対応する第１の測定間隔は、前記第１の無線周波数チャネルのみが測定を実行するために使用される
ことを特徴とする請求項８に記載の測定間隔の構成方法。
【請求項１０】
前記複数の無線周波数チャネルが同じ測定間隔に対応する
ことを特徴とする請求項６又は７に記載の測定間隔の構成方法。
【請求項１１】
送受信ユニットと、測定ユニットと、を備える端末デバイスであって、
前記送受信ユニットは、ネットワークデバイスにより送信された構成情報を受信するように構成され、前記構成情報は、前記端末デバイスが有する複数の無線周波数チャネルに対応する少なくとも１つの測定間隔を含み、
前記測定ユニットは、前記少なくとも１つ測定間隔に基づいて、信号品質測定を行うように構成される
ことを特徴とする端末デバイス。
【請求項１２】
前記送受信ユニットは、さらに、
前記ネットワークデバイスが前記無線周波数能力情報に基づいて前記構成情報を生成するように、構成情報を受信する前に、前記ネットワークデバイスに前記端末デバイスの無線周波数能力情報を送信するように構成され、
前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含む
ことを特徴とする請求項１１に記載の端末デバイス。
【請求項１３】
前記複数の無線周波数チャネルの各無線周波数チャネルが、１つの測定間隔に対応する
ことを特徴とする請求項１１又は１２に記載の端末デバイス。
【請求項１４】
前記複数の無線周波数チャネルのうちの第１の無線周波数チャネルに対応する第１の測定間隔は、前記第１の無線周波数チャネルのみが測定を実行するために使用される
ことを特徴とする請求項１３に記載の端末デバイス。
【請求項１５】
前記複数の無線周波数チャネルが同じ測定間隔に対応する
ことを特徴とする請求項１１又は１２に記載の端末デバイス。
【請求項１６】
処理ユニットと、送受信ユニットと、を備えるネットワークデバイスであって、
前記処理ユニットは、構成情報を生成するように構成され、前記構成情報は、端末デバイスが有する複数の無線周波数チャネルに対応する少なくとも１つ測定間隔を含み、
前記送受信ユニットは、前記端末デバイスに前記構成情報を送信するように構成される
ことを特徴とするネットワークデバイス。
【請求項１７】
前記送受信ユニットは、さらに、
構成情報を生成する前に、前記端末デバイスにより送信された前記端末デバイスの無線周波数能力情報を受信するように構成され、 
前記無線周波数能力情報は、
前記端末がサポートする無線周波数チャネルの数、各無線周波数チャネルがサポートする周波数スペクトル情報、無線周波数チャネル能力情報、及び前記端末デバイスが前記複数の無線周波数チャネルに対応する測定間隔に応じて信号品質測定を行うことをサポートするかどうかを示す指示情報のうちの少なくとも１つを含み、
前記処理ユニットは、前記無線周波数能力情報に基づいて前記構成情報を生成するように構成される
ことを特徴とする請求項１６に記載のネットワークデバイス。
【請求項１８】
前記複数の無線周波数チャネルの各無線周波数チャネルが、１つの測定間隔に対応する
ことを特徴とする請求項１６又は１７に記載のネットワークデバイス。
【請求項１９】
前記複数の無線周波数チャネルのうちの第１の無線周波数チャネルに対応する第１の測定間隔は、前記第１の無線周波数チャネルのみが測定を実行するために使用される
ことを特徴とする請求項１８に記載のネットワークデバイス。
【請求項２０】
前記複数の無線周波数チャネルが同じ測定間隔に対応する
ことを特徴とする請求項１６又は１７に記載のネットワークデバイス。
【国際調査報告】
2021503739.tif 000009
2021503739.tif 000010
2021503739.tif 000011
2021503739.tif 000012
2021503739.tif 000013